【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
Ｎｏｄｅ−Ｂが、ＥＵ動作のためのＤＬ  ＥＵ信号チャネルを介してＷＴＲＵへＥＵ制御情報を送るようにＥＵ動作がサポートされる、少なくとも１つの前記ＷＴＲＵ、すくなくとも１つの前記Ｎｏｄｅ−Ｂ、およびＲＮＣを含む無線通信システムにおいて、
前記ＤＬ  ＥＵ信号チャネルの送信電力を制御するための方法であって、
（ａ）少なくとも１つの前記ＷＴＲＵおよび前記Ｎｏｄｅ−Ｂが、ＥＵ送信失敗統計を演算し、前記ＲＮＣへ前記演算された統計を報告することと、
（ｂ）前記ＥＵ送信失敗統計に基づいて、前記ＲＮＣが、前記Ｎｏｄｅ−Ｂにおいて前記ＤＬ  ＥＵ信号チャネルの送信電力レベルを決定するのに使用される前記ＤＬ  ＥＵ信号チャネルの送信電力オフセットを調整することと
を備えたことを特徴とする方法。
【請求項２】
前記ＲＮＣが、前記ＷＴＲＵからＥ−ＤＣＨ送信を受信する前記Ｎｏｄｅ−Ｂに応答して、前記ＤＬ信号チャネルを介して前記ＷＴＲＵへ前記Ｎｏｄｅ−Ｂによって送られる信号内に含まれる、少なくとも１つのＡＣＫメッセージまたはＮＡＣＫメッセージのために、送信電力オフセットを調整することを特徴とする請求項１に記載の方法。
【請求項３】
前記ＥＵ送信失敗統計は、前記Ｎｏｄｅ−Ｂによって検知される前記ＷＴＲＵのＭＡＣ−ｅ失敗の数から、前記ＷＴＲＵによって検知される前記ＷＴＲＵのＭＡＣ−ｅ失敗の数を引くことによって決定されることを特徴とする請求項２に記載の方法。
【請求項４】
前記ＷＴＲＵの前記ＭＡＣ−ｅ失敗は、再送信の数が、既定の再送信制限を越えた場合に起こることを特徴とする請求項３に記載の方法。
【請求項５】
前記ＷＴＲＵの前記ＭＡＣ−ｅ失敗は、ＥＵ送信データがうまく送信される前に失効した場合に起こることを特徴とする請求項３に記載の方法。
【請求項６】
前記ＥＵ送信失敗統計は、前記ＷＴＲＵのためのＲＬＣリカバリ要求の数から、前記ＷＴＲＵによって検知される前記ＷＴＲＵのＭＡＣ−ｅ失敗の数を引くことによって決定されることを特徴とする請求項２に記載の方法。
【請求項７】
前記ＮＡＣＫメッセージのための送信電力は、前記ＡＣＫメッセージのための送信電力より高く設定されることを特徴とする請求項２に記載の方法。
【請求項８】
前記Ｎｏｄｅ−Ｂは、前記ＷＴＲＵからのチャネル割り当て要求に応答して送信された、ＥＵチャネル割り当て情報のための送信電力を調整することを特徴とする請求項１に記載の方法。
【請求項９】
前記ＥＵ送信失敗統計は、前記Ｎｏｄｅ−Ｂが、前記ＥＵチャネル割り当て情報が送られた後、既定の時間期間内に前記ＷＴＲＵからＥ−ＤＣＨ送信を受信しない回数として決定されることを特徴とする請求項８に記載の方法。
【請求項１０】
前記ＥＵ送信失敗統計は、前記Ｎｏｄｅ−Ｂが、前記ＥＵチャネル割り当て情報と一致しないＥＵ送信を受信する回数に基づいて決定されることを特徴とする請求項８に記載の方法。
【請求項１１】
前記ＥＵ送信失敗統計は、前記ＷＴＲＵが、特定の時間期間内に前記チャネル割り当て要求に応答して前記Ｎｏｄｅ−Ｂからチャネル割り当て情報を受け取るのに失敗した回数に基づいて決定されることを特徴とする請求項８に記載の方法。
【請求項１２】
特定のＷＴＲＵのための前記ＤＬ  ＥＵ信号チャネルの送信電力レベルは、前記特定のＷＴＲＵのためのＤＬ  ＤＰＣＣＨの送信電力を参照して決定されることを特徴とする請求項１に記載の方法。
【請求項１３】
ＤＬ  ＥＵ信号チャネルの送信電力を制御する無線通信システムであって、
（ａ）ＲＮＣと、
（ｂ）ＥＵ送信失敗統計を演算し報告し、前記ＲＮＣへ前記統計を報告するための、少なくとも１つのＷＴＲＵと、
（ｃ）ＥＵ送信失敗統計を演算し、前記ＲＮＣへ前記統計を報告するための、少なくとも１つのＮｏｄｅ−Ｂと、
（ｄ）前記Ｎｏｄｅ−Ｂが、前記ＤＬ  ＥＵ信号チャネルを介して前記ＷＴＲＵへ信号を送り、前記ＲＮＣが、前記報告されたＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂが通信する少なくとも１つの前記ＤＬ  ＥＵ信号チャネルと
を備えたことを特徴とするシステム。
【請求項１４】
前記ＲＮＣは、前記ＷＴＲＵからのＥ−ＤＣＨ送信を受信する前記Ｎｏｄｅ−Ｂに応答して、前記ＤＬ  ＥＵ信号チャネルを介して前記ＷＴＲＵへ、Ｎｏｄｅ−Ｂによって送られた信号内に含まれる、少なくとも１つのＡＣＫメッセージまたはＮＡＣＫメッセージのための送信電力オフセットを調整することを特徴とする請求項１３に記載のシステム。
【請求項１５】
前記ＥＵ送信失敗統計は、前記Ｎｏｄｅ−Ｂによって検知される前記ＷＴＲＵのＭＡＣ−ｅ失敗の数から、前記ＷＴＲＵによって検知された前記ＷＴＲＵのＭＡＣ−ｅ失敗の数を引くことによって決定されることを特徴とする請求項１４に記載のシステム。
【請求項１６】
前記ＷＴＲＵの前記ＭＡＣ−ｅ失敗は、再送信の数が、既定の再送信制限を超える場合に起こることを特徴とする請求項１５に記載のシステム。
【請求項１７】
前記ＷＴＲＵの前記ＭＡＣ−ｅ失敗は、ＥＵ送信データが、うまく送信される前に失効した場合に起こることを特徴とする請求項１５に記載のシステム。
【請求項１８】
前記ＥＵ送信失敗統計は、前記ＷＴＲＵのＲＬＣリカバリ要求の数から、前記ＷＴＲＵによって検知される前記ＷＴＲＵのＭＡＣ−ｅ失敗の数を引くことによって決定されることを特徴とする請求項１４に記載のシステム。
【請求項１９】
前記ＮＡＣＫメッセージの送信電力は、前記ＡＣＫメッセージの送信電力より高く設定されることを特徴とする請求項１４に記載のシステム。
【請求項２０】
前記ＲＮＣは、前記ＷＴＲＵによるチャネル割り当てに応答して、前記Ｎｏｄｅ−Ｂによって信号が送られるＥＵチャネル割り当て情報の送信電力オフセットを調節することを特徴とする請求項１３に記載のシステム。
【請求項２１】
前記ＥＵ送信失敗統計は、前記Ｎｏｄｅ−Ｂが、前記ＥＵチャネル割り当て情報が送信された後、前記ＷＴＲＵからのＥＵ送信を受信するのに失敗した回数に基づいて決定されることを特徴とする請求項２０に記載のシステム。
【請求項２２】
前記ＥＵ送信失敗統計は、前記Ｎｏｄｅ−Ｂが、前記ＥＵチャネル割り当て情報に一致しないＥＵ送信を受信した回数に基づいて決定されることを特徴とする請求項２０に記載のシステム。
【請求項２３】
前記ＥＵ送信失敗統計は、前記ＷＴＲＵが、特定の時間期間内に前記Ｎｏｄｅ−Ｂからチャネル割り当て情報を受信するのに失敗した回数として決定されることを特徴とする請求項２０に記載のシステム。
【請求項２４】
特定のＷＴＲＵのための前記ＤＬ  ＥＵ信号チャネルの送信電力は、前記特定のＷＴＲＵのＤＰＣＣＨの送信電力を参照して決定されることを特徴とする請求項１３に記載のシステム。
【請求項２５】
ＤＬ  ＥＵ信号チャネルの送信電力を制御する無線通信システムであって、
（ａ）ＲＮＣと、
（ｂ）ＥＵ送信失敗統計を演算し、前記ＲＮＣへ前記統計を報告するための、少なくとも１つのＷＴＲＵと、
（ｃ）少なくとも１つのＮｏｄｅ−Ｂと、
（ｄ）前記Ｎｏｄｅ−Ｂが、前記ＤＬ  ＥＵ信号チャネルを介して前記ＷＴＲＵへ信号を送り、前記ＲＮＣが、前記ＷＴＲＵによって前記ＲＮＣへ報告された前記ＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂと通信する少なくとも１つの前記ＤＬ  ＥＵ信号チャネルと
を備えたことを特徴とするシステム。
【請求項２６】
ＤＬ  ＥＵ信号チャネルの送信電力を制御する無線通信システムであって、
（ａ）ＲＮＣと、
（ｂ）ＷＴＲＵと、
（ｃ）ＥＵ送信失敗統計を演算し、前記ＲＮＣへ前記統計を報告するための、少なくとも１つのＮｏｄｅ−Ｂと、
（ｄ）前記Ｎｏｄｅ−Ｂが、前記ＤＬ  ＥＵ信号チャネルを介して前記ＷＴＲＵへ信号を送り、前記ＲＮＣが、前記ＷＴＲＵによって前記ＲＮＣへ報告された前記ＥＵ送信失敗統計に基づいて前記Ｎｏｄｅ−Ｂによって送られた前記信号の送信電力レベルを決定するのに使用されることになる前記ＤＬ  ＥＵ信号チャネルの送信電力オフセットを調節する、前記ＷＴＲＵおよび前記Ｎｏｄｅ−Ｂと通信する少なくとも１つの前記ＤＬ  ＥＵ信号チャネルと
を備えたことを特徴とするシステム。
【請求項２７】
無線通信システムであって、
（ａ）ＷＴＲＵと、
（ｂ）ＤＬ  ＥＵ信号チャネルの前記電力レベルが、現在のＤＬ専用制御チャネルの前記電力レベルを参照して決定される、前記ＷＴＲＵと通信するのに専用化されたＤＬ  ＥＵ信号チャネルと
を備えたことを特徴とするシステム。
【請求項２８】
前記ＤＬ  ＥＵ信号チャネルの前記電力レベルが、前記現在のＤＬ専用制御チャネルの電力レベルおよび初期の電力オフセットに基づいていることを特徴とする請求項２７に記載のシステム。
【請求項２９】
（ｃ）Ｎｏｄｅ−Ｂと、
（ｄ）ＲＮＣが、少なくとも１つの前記ＷＴＲＵおよび前記Ｎｏｄｅ−Ｂによって、前記ＲＮＣへ演算および報告されたＥＵ送信失敗統計に基づいて、前記電力オフセットを調整するＲＮＣと
をさらに備えたことを特徴とする請求項２８に記載のシステム。
【請求項３０】
無線通信システムであって、
（ａ）複数のＷＴＲＵと、
（ｂ）ＲＮＣと、
（ｃ）ＤＬ  ＥＵ信号チャネルの電力レベルが、前記ＲＮＣによって初期的に設定される共通のＤＬ信号電力レベルを参照して決定される、ＷＴＲＵによって共有されるＤＬ  ＥＵ信号チャネルと
を備えたことを特徴とするシステム。
【請求項３１】
前記ＤＬ  ＥＵ信号チャネルの前記電力レベルが、前記ＲＮＣによって初期的に設定される共通のＤＬ信号電力レベルおよび電力オフセットに基づくことを特徴とする請求項３０に記載のシステム。
【請求項３２】
前記システムは、さらに、Ｎｏｄｅ−Ｂを備え、前記ＲＮＣは、演算され、少なくとも１つの、前記複数のＷＴＲＵおよび前記Ｎｏｄｅ−Ｂによって前記ＲＮＣへ報告されるＥＵ送信失敗統計に基づいて、前記電力オフセットを調整することを特徴とする請求項３１に記載の方法。